(57)【要約】 【課題】本体機器に接続される外部装置側のインピーダンスが変化したとしても、外部装置側へ供給される電力が不足することなく電力を供給できる電力供給装置を提供する。【解決手段】この発明の電力供給装置は、ケーブルに接続される出力端子と、ケーブルを介して接続される外部装置に電力を供給する電源部と、出力端子の前段に設けられ、外部装置へ出力する出力電圧を変更させる変更動作を実行する変更手段と、ケーブルの種類を識別する識別手段と、識別手段によって識別されたケーブルに応じて、変更手段における変更動作を制御する制御手段を備える。【選択図】図２
2011107849.tif 000002
【特許請求の範囲】
【請求項１】
ケーブルに接続される出力端子と、
前記ケーブルを介して接続される外部装置に電力を供給する電源部と、
前記出力端子の前段に設けられ、前記外部装置へ出力する出力電圧を変更させる変更動作を実行する変更手段と、
前記ケーブルの種類を識別する識別手段と、
前記識別手段によって識別されたケーブルに応じて、前記変更手段における前記変更動作を制御する制御手段を備える、電力供給装置。
【請求項２】
前記識別手段は、前記ケーブルのケーブルインピーダンスの大きさを検出することによってケーブルの種類を判別し、
前記変更手段は、前記出力端子と入力端子間を接続する電力供給ラインに接続されるインピーダンスを設け、該インピーダンスの大きさを調節することにより変更することを特徴とする、請求項１に記載の電力供給装置。
【請求項３】
前記変更手段は、前記電力供給ラインに接続される前記インピーダンスと並列にスイッチを設け、該スイッチを制御することにより前記インピーダンスを短絡させて前記インピーダンスの大きさを変更することを特徴とする請求項２に記載の電力供給装置。
【請求項４】
前記識別手段は、前記出力端子の電圧の大きさを計測する計測手段と、前記計測手段による計測された電圧の大きさに基づくレベルが所定レベルよりも大きいか否かを判別する判別手段を備え、
前記制御手段は、前記判別手段による判別の結果、該レベルが所定レベルよりも大きい場合には、前記変更手段に対して前記スイッチをオンさせることにより前記インピーダンスを短絡させて前記外部装置へ出力する出力電圧を大きくするよう変更せしめることを特徴とする、請求項３に記載の電力供給装置。
【請求項５】
前記識別手段は、前記外部装置が起動を開始する前に識別を行うことを特徴とする、請求項１ないし請求項４のいずれかに記載の電力供給装置。
【発明の詳細な説明】
【技術分野】
【０００１】
本発明は、外部装置に電力を供給する電力供給装置に関するものである。
【背景技術】
【０００２】
近年の電力供給装置、特に例えば、監視カメラにおいて、ＨＤＤを含む外部装置がユニバーサル・シリアル・バス（ＵＳＢ）ケーブルを介して接続される場合、監視カメラはＵＳＢバスパワーという外部装置に対してＵＳＢケーブルを介して電力を供給する機能を使用して、外部装置に電力を供給することが出来るものが存在する。
【特許文献１】特開２００８−９０３３９号公報  さて、ここで上述したような監視カメラの使用例として、外部装置が１対１で接続された監視カメラとして使用される場合と、外部装置が夫々接続された複数の監視カメラがＬＡＮケーブルなどで接続されて使用される場合が挙げられる。
【０００３】
以下、後者での使用の場合を説明すると、近年では、ＰＯＥ（Ｐｏｗｅｒ  Ｏｖｅｒ  Ｅｔｈｅｒｎｅｔ（登録商標））技術を利用し、複数の監視カメラをＬＡＮケーブルで接続し、ＬＡＮケーブルから電力の供給を受けて駆動することが可能である。しかしながら、ＬＡＮケーブルに過大な電流が流れるのを防止するために、消費電力を制限する必要がある。
【０００４】
ただし、外部装置が接続された監視カメラでは、ＵＳＢバスパワーを使用して、外部装置に電力を供給するため、ＬＡＮケーブルからは十分な電力を供給しなければならない。そのため、ＬＡＮケーブルの消費電力とＵＳＢバスパワーにおいて必要とされる消費電力を最小限にすることが望ましい。
【０００５】
さて、上述したように夫々の消費電力を最小限になるよう設計された監視カメラにおいて、監視カメラと外部装置とを接続するＵＳＢケーブルを、ユーザの使用用途に応じて交換される可能性がある。交換対象となるＵＳＢケーブルは、長いものと短いものとが挙げられる。
【０００６】
夫々の消費電力を最小限に設計された監視カメラにおいて、外部装置に対してＵＳＢバスパワーを使用した電力を供給する場合に、ユーザによって交換されたＵＳＢケーブルが長いものであるとすれば、ＵＳＢケーブルのインピーダンスが高くなり、電圧降下を引き起こし、監視カメラから供給される電力の出力電圧値は、外部装置には不十分となってしまう虞がある。この場合、外部装置内のＨＤＤを起動させるための出力電圧が確保できないため、ＨＤＤの起動に時間が掛かることとなり、監視カメラからの重要な映像を記憶できない虞がある。
【発明の開示】
【発明が解決しようとする課題】
【０００７】
この発明は、上述した問題点を解決するためになされたものであって、この発明の目的の一つは、電力供給装置に接続される外部装置側のインピーダンスが変化したとしても、外部装置側へ供給される電力が不足することなく、電力を供給できる電力供給装置を提供することである。
【課題を解決するための手段】
【０００８】
この発明の電力供給装置は、ケーブルに接続される出力端子と、ケーブルを介して接続される外部装置に電力を供給する電源部と、出力端子の前段に設けられ、外部装置へ出力する出力電圧を変更させる変更動作を実行する変更手段と、ケーブルの種類を識別する識別手段と、識別手段によって識別されたケーブルに応じて、変更手段における変更動作を制御する制御手段を備える。
【０００９】
この発明の電力供給装置は、さらに識別手段において、ケーブルのケーブルインピーダンスの大きさを検出することによってケーブルの種類を判別し、変更手段において、出力端子と入力端子間を接続する電力供給ラインに接続されるインピーダンスを設け、該インピーダンスの大きさを調節することにより変更する。
【００１０】
この発明の電力供給装置は、さらに変更手段において、電力供給ラインに接続されるインピーダンスと並列にスイッチを設け、該スイッチを制御することによりインピーダンスを短絡させてインピーダンスの大きさを変更する。
【００１１】
この発明の電力供給装置は、さらに識別手段において、出力端子の電圧の大きさを計測する計測手段と、計測手段による計測された電圧の大きさに基づくレベルが所定レベルよりも大きいか否かを判別する判別手段を備え、制御手段において、判別手段による判別の結果、該レベルが所定レベルよりも大きい場合には、変更手段に対してスイッチをオンさせることによりインピーダンスを短絡させて外部装置へ出力する出力電圧を大きくするよう変更せしめる。
【００１２】
この発明の電力供給装置は、さらに識別手段において、外部装置が起動を開始する前に識別を行う。
【発明の効果】
【００１３】
本発明の電力供給装置によれば、電力供給装置に接続される外部装置側のインピーダンスが変化したとしても、外部装置側へ供給される電力が不足することなく電力を供給できる。
【図面の簡単な説明】
【００１４】
【図１】本実施例に係る監視カメラシステムを示す回路図である。
【図２】本実施例に係る監視カメラの回路構成の一部を示すブロック図である。
【図３】本実施例に係る監視カメラシステムの動作の時間的な変化を示す図である。
【図４】本実施例に係る監視カメラの動作の一部を示すフローチャートである。
【図５】本実施例に係るＵＳＢケーブルの種類の一例を示す図解図である。
【発明を実施するための最良の形態】
【００１５】
以下、本発明の電力供給装置の一実施例として、外部装置とＵＳＢケーブルを介して接続される監視カメラに実施した形態につき、図面に沿って具体的に説明する。
【００１６】
図１は、本実施例の監視カメラシステム２２を示すブロック図である。監視カメラシステム２２は、ＨＤＤ２０Ａ〜２０ＣおよびＨＤＤ用電源供給制御回路１８Ａ〜１８Ｃを含む外部装置１６Ａ〜１６Ｃの各々が、夫々ＵＳＢケーブル１４Ａ〜１４Ｃを介して監視カメラ１２Ａ〜１２Ｃに接続され、該監視カメラ１２Ａ〜１２Ｃは、ＬＡＮ（Ｌｏｃａｌ  Ａｒｅａ  Ｎｅｔｗｏｒｋ）２４に接続されている。ＵＳＢケーブル１４Ａ〜１４Ｃは、監視カメラ１２Ａ〜１２Ｃと外部装置１６Ａ〜１６Ｃ間で抜き差しが可能であり、図５に示すような短いＵＳＢケーブルＹと長いＵＳＢケーブルＺが、ユーザによって選択的に使用される。なお、長いＵＳＢケーブルＺは短いＵＳＢケーブルＹと比較してインピーダンスが高く、監視カメラ１２Ａ〜１２Ｃから外部装置１６Ａ〜１６Ｃに同じ電圧値の電力を供給しようとすると、長いＵＳＢケーブルＺが使用された場合の方が、短いＵＳＢケーブルＹを使用される場合に比べて、ケーブル自体での電圧降下により供給される電力の電圧値が小さくなる。
【００１７】
監視カメラ１２Ａ〜１２Ｃの夫々は、ＰＯＥ技術によりＬＡＮ２４から電力の供給を受け、駆動する。ＨＤＤ２０Ａ〜２０Ｃの夫々は、大容量記憶装置であり、監視カメラ１２Ａ〜１２ＣよりＵＳＢケーブル１４Ａ〜１４Ｃを介してＨＤＤ用電力供給回路１８Ａ〜１８Ｃの制御に基づいて電力が供給され、駆動する。また、ＨＤＤ２０Ａ〜２０Ｃの夫々は、監視カメラ１２Ａ〜１２Ｃによって制御されることにより、監視カメラ１２Ａ〜１２Ｃにおいて撮像された映像をＨＤＤ２０Ａ〜２０Ｃに記憶させる。
【００１８】
監視カメラ１２Ａ〜１２Ｃ、ＵＳＢケーブル１４Ａ〜１４Ｃ、ＨＤＤ用電力供給制御回路１８Ａ〜１８ＣおよびＨＤＤ２０Ａ〜２０Ｃを含む外部装置１６Ａ〜１６Ｃの夫々は、構成および機能が同じであるため、以下の説明では、監視カメラ１２Ａ、ＵＳＢケーブル１４Ａ、外部装置１６Ａ、ＨＤＤ電力供給制御回路１８ＡおよびＨＤＤ２０Ａについて説明する。
【００１９】
図２は、監視カメラシステム２２の一部である、ＵＳＢケーブル１４Ａを介して監視カメラ１２Ａが外部装置１６Ａと接続される構成の一例を示すブロック図である。ＵＳＢケーブル１４Ａは、上述したように、短いＵＳＢケーブルＹおよび長いＵＳＢケーブルＺのいずれかであり、ユーザが選択して使用することができる。図２を参照すると、監視カメラ１２Ａ側は、ＵＳＢ  ＶＢＵＳ  ＳＷ  ＩＣ３０と、該ＩＣ３０内の監視カメラ側入力端子３２と、該ＩＣ３０に指示を送るＵＳＢホストマイコン３４と、抵抗ＲＲと、抵抗Ｒ１〜Ｒ４と、コンパレータ３６と、積分器３８と、サブマイコン４０と、監視カメラ側出力端子４２と、スイッチ４４で構成される。外部装置１６Ａ側は、監視カメラ側出力端子４２とＵＳＢケーブル１４Ａを介して接続される外部装置側入力端子５０と、ＨＤＤ２０Ａと接続される外部装置側出力端子５２と、外部装置側入力端子５０と外部装置側出力端子５２の間に、該端子間の信号線の接続オン／オフするスイッチ５６と、該スイッチ５６の制御行い、かつＨＤＤ２０Ａへ供給する電力を、キャパシタＣ５４を用いて制御するＨＤＤ用電力供給制御回路１８Ａとで構成される。
【００２０】
監視カメラ側入力端子３２、監視カメラ側出力端子４２、外部装置側入力端子５０および外部装置側出力端子５２の夫々は、Ｄ＋ピン、Ｄ−ピン、ＧＮＤピンおよびＶＢＵＳピンを含む。監視カメラ側入力端子３２のＤ＋ピン、Ｄ−ピン、ＧＮＤピンは、監視カメラ側出力端子４２のＤ＋ピン、Ｄ−ピン、ＧＮＤピンと夫々接続される。監視カメラ側入力端子３２のＶＢＵＳピンは、ＬＡＮ２４から供給される電力を、ＵＳＢホストマイコン３４の指示に基づいて、監視カメラ側出力端子４２へ伝送する。言い換えると、監視カメラ側入力端子３２から出力される出力電圧が、監視カメラ側出力端子４２へ印加される。
【００２１】
ただし、本実施例では、抵抗ＲＲと、抵抗Ｒ１〜Ｒ４と、コンパレータ３６と、積分器３８と、サブマイコン４０と、スイッチ４４を介して、監視カメラ側出力端子４２へ監視カメラ側入力端子３２からの電圧が印加される。
【００２２】
次に、監視カメラ１２Ａ側について詳細に説明する。監視カメラ側入力端子３２のＶＢＵＳピンには、抵抗ＲＲと抵抗Ｒ１とスイッチ４４の一方端子が並列的に接続される。抵抗Ｒ１の他方端子は抵抗Ｒ２の一方端子と直列的に接続され、抵抗Ｒ２の他方端子はＧＮＤに接続される。また抵抗ＲＲの他方端子は、監視カメラ側出力端子４２のＶＢＵＳピンに接続されると共に、抵抗Ｒ３の一方端子およびスイッチ４４の他方端子に接続される。
【００２３】
スイッチ４４は、サブマイコン４０に制御され、監視カメラ１２Ａが一旦オフ状態となった場合に、監視カメラ１２Ａがオン状態に遷移してもオフ状態になるよう維持され、サブマイコン４０の指示があるとオン状態に遷移する。スイッチ４４がオン状態に遷移すると、監視カメラ側入力端子３２のＶＢＵＳピンと監視カメラ側出力端子４２のＶＢＵＳピンとが直結される。つまり、短絡する。
【００２４】
抵抗Ｒ３の他方端子端は抵抗Ｒ４の一方端子に直列的に接続され、抵抗Ｒ４の他方端子はＧＮＤに接続される。また、コンパレータ３６は、抵抗Ｒ１の他方端子と抵抗Ｒ２の一方端子の接続点にコンパレータ３６のマイナス入力端子が接続され、抵抗Ｒ３の他方端子および抵抗Ｒ４の一方端子の接続点に、コンパレータ３６のプラス入力端子が接続される。コンパレータ３６は、マイナス入力端子に与えられた電圧である監視カメラ側入力端子３２のＶＢＵＳピンの電圧に対する抵抗Ｒ１と抵抗Ｒ２の分圧Ａと、プラス入力端子に与えられた電圧である監視カメラ側出力端子４２のＶＢＵＳピンの電圧に対する抵抗Ｒ３と抵抗Ｒ４の分圧Ｂとを比較し、比較結果を反転してパルス出力を行う。つまり、分圧Ａ≧分圧Ｂの場合にはハイレベル信号を出力し、分圧Ａ＜分圧Ｂの場合にはローレベル信号を出力する。
【００２５】
コンパレータ３６の出力端子は積分器３８に接続され、積分器３８はコンパレータ３６から出力されるハイレベル信号および／またはローレベル信号を所定時間積分し、サブマイコン４０に出力される。なお、所定時間積分されることによって、ハイレベル信号および／またはローレベル信号は、積分信号に変換され、サブマイコン４０へ入力される。
サブマイコン４０は、積分されたハイレベル信号および／またはローレベル信号に基づいて、スイッチ４４のオン／オフを制御する。なお、スイッチ４４がオン状態となる場合には、上述したように監視カメラ側入力端子３２のＶＢＵＳピンと監視カメラ側出力端子４２のＶＢＵＳピンが直結される。直結されたときに、コンパレータ３６のマイナス入力端子に与えられる電圧である分圧Ａと、プラス入力端子に与えられる電圧である分圧Ｂの関係が、分圧Ａ＜分圧Ｂとなるように抵抗Ｒ１〜Ｒ４が設定されている。
【００２６】
サブマイコン４０は、所定時間積分されたハイレベル信号および／またはローレベル信号を検出し、その積分信号の振幅値としきい値を比較し、振幅値がしきい値よりも大きい場合には、スイッチ４４がオン状態になるように指示を行う。また、振幅値がしきい値よりも小さい場合には、スイッチ４４はオフ状態を維持する、つまりサブマイコン４０は、スイッチ４４に対して何ら指示を与えない。
【００２７】
スイッチ４４がオフ状態の場合、監視カメラ側出力端子４２には、監視カメラ側入力端子３２から出力される電圧から、抵抗ＲＲ分の電圧降下された電圧が入力される。また、スイッチ４４がオン状態の場合、監視カメラ側出力端子４２には、監視カメラ側入力端子３２から出力される電圧がそのまま入力される。
【００２８】
次に、ＵＳＢケーブル１４Ａについて詳細に説明する。ＵＳＢケーブル１４Ａは、監視カメラ側出力端子４２と外部装置側入力端子間を接続するケーブルであり、使用者の用途に応じて、図５に示すような短いＵＳＢケーブルＹと長いＵＳＢケーブルＺと選択的に使用することができる。
【００２９】
次に、外部装置１６Ａ側について詳細に説明する。
【００３０】
外部装置側入力端子５０のＶＢＵＳピンには、ＨＤＤ用電力制御回路１８Ａおよびスイッチ５６が並列的に接続される。ＨＤＤ用電力制御回路１８ＡはキャパシタＣ５４を含む。外部装置側入力端子５０に電圧が印加されると、まずＨＤＤ用電力供給制御回路１８内のキャパシタＣ５４に電荷が蓄積される。なお、キャパシタＣ５４に電荷を蓄積する理由としては、外部装置側出力端子５０に接続されるＨＤＤ２０Ａを駆動させるための、二次電池として使用するためである。
【００３１】
従って、ＵＳＢケーブル１４Ａを介して、監視カメラ側出力端子４２から外部装置側出力端子５０に電圧が印加されると、スイッチ５６をオフ状態にさせてキャパシタＣ５４に電荷を蓄積させ、十分な電荷が蓄積されると、スイッチ５６をオン状態に遷移させることにより、監視カメラ側出力端子４２からの電圧が外部装置側出力端子５２に印加される。そして、外部装置側出力端子５２に接続されるＨＤＤ２０Ａへ電力が供給されることとなり、ＨＤＤ２０Ａが駆動する。
【００３２】
次に、監視カメラ１２Ａ、ＵＳＢケーブル１４Ａ、外部装置１６Ａ、ＨＤＤ電力供給制御回路１８ＡおよびＨＤＤ２０Ａの動作について説明する。
【００３３】
図３（Ａ）は、時刻を示す図である。図３（Ｂ）は、監視カメラ１２Ａの起動状態（オン／オフ）の時間的な変化を示す図である。図３（Ｃ）は、ＨＤＤ用電力供給制御回路１８内のキャパシタＣ５４の電圧の時間的な変化を示す図である。図３（Ｄ）は、ＨＤＤ２０Ａの起動状態（オン／オフ）の時間的な変化を示す図である。図３（Ｅ）は、監視カメラ側入力端子３２から出力される電流レベルの時間的な変化を示す図である。図３（Ｆ）は、ＵＳＢケーブル１４Ａとして短いＵＳＢケーブルＹが使用された場合の、コンパレータ３６から出力された信号に基づく積分器の出力（積分信号）の時間的な変化を示す図である。図３（Ｇ）は、ＵＳＢケーブル１４Ａとして長いＵＳＢケーブルＺが使用された場合の、コンパレータ３６から出力された信号に基づく積分器の出力（積分信号）の時間的な変化を示す図である。
【００３４】
図３（Ａ）〜（Ｇ）を参照して監視カメラシステム２２の動作を説明する。
【００３５】
時刻Ｔ１において、監視カメラ１２Ａがオフ状態からオン状態に遷移されると（図３（Ｂ）参照）、カメラ側出力端子４２からＵＳＢケーブル１４Ａを介して外部装置側入力端子５０へ電力が供給され、かつスイッチ５６がオフ状態となり、キャパシタＣ５４への電荷の蓄積が開始される（図３（Ｃ）参照）。時刻Ｔ２の時点でキャパシタＣ５４への電荷の蓄積が完了し、ＨＤＤ用電力供給制御回路１８Ａは、スイッチ５６をオン状態にせしめることにより、ＨＤＤ２０Ａへ電力が供給され、つまり電圧が印加されＨＤＤ２０Ａは起動する（図３（Ｃ）および（Ｄ）参照）。
【００３６】
また、時刻Ｔ１においてＵＳＢホストマイコン３４は、接続されているＵＳＢケーブル１４Ａの種類を検出するために、ＵＳＢ  ＶＢＵＳ  ＳＷ  ＩＣ３０を制御して、監視カメラ側入力端子３２から出力する通常電流よりも大きな電流を、時刻Ｔ２まで出力させる（図３（Ｅ）参照）。時刻Ｔ２は、ＨＤＤ２０Ａが起動し始める時刻であり、ＨＤＤ電力供給制御回路１８ＡがＵＳＢホストマイコン３４およびサブマイコン４０へ時刻コマンドとして通知する。なお、監視カメラ１２Ａは、一旦オフ状態となるとスイッチ４４もオフ状態が維持されるため、時刻Ｔ１の時点において、スイッチ４４はオフ状態である。
【００３７】
さて、時刻Ｔ１において監視カメラ側入力端子３２から電流が出力されると、上述したように抵抗ＲＲ、抵抗Ｒ１〜抵抗Ｒ４に電圧が印加され、コンパレータ３６から出力されるハイレベル信号および／またはローレベル信号が積分器３８に入力される。サブマイコン４０は、時刻Ｔ１から時刻Ｔ２間の積分器３８から出力される積分信号の振幅値をしきい値と比較する（図３（Ｆ）および（Ｇ）参照）。
【００３８】
ここで、ＵＳＢケーブル１４Ａとして短いＵＳＢケーブルＹが使用された場合には、振幅値がしきい値よりも小さい値となる（図３（Ｆ）参照）。ＵＳＢケーブル１４Ａとして長いＵＳＢケーブルＺが使用された場合には、振幅値がしきい値よりも大きな値となる（図３（Ｇ）参照）。サブマイコン４０は、これら振幅値としきい値の関係から、現在、監視カメラ１２Ａに接続されているＵＳＢケーブル１４Ａの種類を識別し、長いＵＳＢケーブルＺが接続されている場合には、スイッチ４４をオン状態にして短絡させて、監視カメラ側入力端子３２から出力される電圧降下の少ない電圧を監視カメラ側出力端子４２へ印加する。従って、長いＵＳＢケーブルＺが接続されること、つまりインピーダンスの増大に起因する監視カメラ１２Ａから外部装置１６Ａへ供給される電力の低下を防ぐことができる。
【００３９】
上述したサブマイコン４０の動作を、図４のフローチャートを用いて説明する。まず、監視カメラ１２Ａがオフ状態からオン状態、すなわち起動されると、ＵＳＢホストマイコン３４は図示しない、Ｄ＋ピンもしくはＤ−ピンのどちらがプルアップされているのかを検出することによって、外部装置１６ＡがＵＳＢケーブル１４Ａで接続されたことを認識し、検出結果に基づいてデータ転送を行うべくデータ転送設定を行い、サブマイコン４０へ外部装置接続有のコマンドを送る。サブマイコン４０は、ステップＳ１においてＵＳＢホストマイコン３４から外部装置接続有のコマンドがあったか否かを判別する。ステップＳ１においてＹＥＳと判別すると、ステップＳ３へ進み、積分器３８から出力される積分信号の振幅値を検出する。そして、ステップＳ５へ進み、外部装置１６から時刻コマンドの通知があったか否かを判別する。ステップＳ５において、ＮＯと判別するとステップＳ３へ戻り、ＹＥＳと判別するとステップＳ７へ進む。
【００４０】
ステップＳ７では、ステップＳ３において検出された積分信号の振幅値としきい値とを比較し、振幅値がしきい値よりも大きいか否かを判別する。ステップＳ７においてＹＥＳと判別するとステップＳ９へ進み、スイッチ４４をオン状態に設定し、ステップＳ１１へ進む。また、ステップＳ７においてＮＯと判別されると、ステップ１１へ進む。ＵＳＢホストマイコン３４は図示しない、Ｄ＋ピンもしくはＤ−ピンのどちらがプルアップされているのかを検出することによって、外部装置１６Ａの接続が解除されたか否かを認識し、サブマイコン４０へ外部装接続解除のコマンドを送る。ステップＳ１１では、サブマイコン４０は、ＵＳＢホストマイコン３４から外部装置接続解除のコマンドがあったか否かを判別し、ＹＥＳと判別されるまで判別を繰り返し、ＹＥＳと判別されると終了する。
【００４１】
以上説明したように、本実施例における監視カメラ１２Ａは、監視カメラ１２Ａと外部装置１６Ａとを接続するＵＳＢケーブル１４Ａの種類に応じて、特に例えば短いＵＳＢケーブルＹよりも長いＵＳＢケーブルＺが接続された場合には、短いＵＳＢケーブルＹが接続された場合に外部装置１６Ａへ出力される出力電圧よりも、高い電圧を印加せしめるよう、スイッチ４４をオン状態、つまりインピーダンスを小さくしている。従って、長いＵＳＢケーブルＺが接続されることにより起因する、外部装置１６Ａへ出力される電圧の電圧低下を防ぐことができる。
【００４２】
なお、本実施例では、電力供給装置として監視カメラ１２Ａを適用したが、監視カメラに限らずデジタルカメラ、ＩＣレコーダ、ＤＶＤレコーダ、ＨＤＤレコーダなどあらゆる電子機器に応用できる。
【００４３】
また、本実施例では監視カメラ１２Ａ〜１２Ｃと外部装置１６Ａ〜１６Ｃとを接続するインタフェースとしてＵＳＢを適用したが、ＵＳＢに限定されず、ＩＥＥＥなどバスパワー機能を持っているインタフェースであればよい。つまり、使用されるケーブルはＵＳＢケーブルに限定されない。
【００４４】
また、本実施例では、監視カメラ１２Ａ〜１２ＣをＬＡＮ２４に接続する例を示すが、ＬＡＮに限定されず、ＰＯＥ技術により電力の供給が可能なネットワークであれば、ＷＡＮ（Ｗｉｄｅ  Ａｒｅａ  Ｎｅｔｗｏｒｋ）等であってもよい。
【００４５】
また、本実施例では、外部装置１６ＡとしてＨＤＤ２０Ａを含む装置を適用したが、ＨＤＤに限らず、ＤＶＤレコーダやブルーレイレコーダ等であってもよい。
【００４６】
また、本実施例では、本実施例における監視カメラ１２Ａは、監視カメラ１２Ａと外部装置１６Ａとを接続するＵＳＢケーブル１４Ａの種類に応じて、特に例えば短いＵＳＢケーブルＹよりも長いＵＳＢケーブルＺが接続された場合には、短いＵＳＢケーブルＹが接続された場合に外部装置１６Ａへ出力される出力電圧よりも、高い電圧を印加せしめるよう、スイッチ４４をオン状態にすることにより短絡させているが、短絡させずに、抵抗ＲＲよりも十分に小さい抵抗値を持つ抵抗とスイッチ４４を直列接続させてもよい。この場合においても、外部装置１６Ａへ出力される電圧は、短いＵＳＢケーブルＹが接続された場合に外部装置１６Ａへ出力される電圧よりも、高い電圧を印加せしめることができる。このように、インピーダンスを調節することによって、外部装置１６Ａへ印加される電圧を調節することができれば、どのような手法を使用してもよい。
【００４７】
また、本実施例では、電力が低下する原因として長いＵＳＢケーブルを使用した例を説明したが、外部装置において負荷装置が更に備えられることにより電圧が低下する場合においても適用できる。
【符号の説明】
【００４８】
１２Ａ〜１２Ｃ      ・・・    監視カメラ
１４Ａ〜１４Ｃ      ・・・    ＵＳＢケーブル
１６Ａ〜１６Ｃ      ・・・    外部装置
１８Ａ〜１８Ｃ      ・・・    ＨＤＤ用電力供給制御回路
３０      ・・・    ＵＳＢ  ＶＢＵＳ  ＳＷ  ＩＣ
３２      ・・・    監視カメラ側入力端子
３４      ・・・    ＵＳＢホストマイコン
３６      ・・・    コンパレータ
３８      ・・・    積分器
４０      ・・・    サブマイコン
４２      ・・・    監視カメラ側出力端子
ＲＲ      ・・・    抵抗
Ｒ１〜Ｒ４・・・    抵抗
５０      ・・・    外部装置側入力端子
５２      ・・・    外部装置側出力端子
【図１】
2011107849.tif 000003
【図２】
2011107849.tif 000004
【図３】
2011107849.tif 000005
【図４】
2011107849.tif 000006
【図５】
2011107849.tif 000007